(57)【要約】【課題】化粧品又はケア製品を皮膚、毛髪又は爪に適用する装置を提供すること。【解決手段】本発明は、化粧品及び／又はケア製品の包装及び／又は適用装置が少なくとも一つの磁化したか又は磁化可能な物体を含む繊維を含むことを特徴とする、化粧品及び／又はケア製品の包装及び／又は適用装置に関する。本発明に従って、予め定めたか又は変化する方向の磁場を適用の時に繊維によって発生させることができ、これによって活性剤の微小循環及び浸透を促進する。また、繊維間で磁気の相互作用を使用することにより及び／又は外部磁場に対する繊維の応答を使用することにより、繊維に製品を充填する場合、任意に絞る場合又は適用する場合に、特定の方法で繊維を方向付けることも可能であり、これによって例えばアプリケーターへの製品の量が増加し、適用が容易になる。【選択図】図１２
2006326322.tif 000002
【特許請求の範囲】
【請求項１】
皮膚、毛髪又は爪に適用する化粧品又はケア製品の包装又は適用装置であって、該装置が磁性を示す繊維を含むことを特徴とする装置。
【請求項２】
繊維を合成材料から製造することを特徴とする、請求項１に記載の装置。
【請求項３】
繊維の少なくとも一つが実質的に一定の断面を示すことを特徴とする、請求項１又は２に記載の装置。
【請求項４】
一又は複数の熱可塑性及び／又はエラストマー材料の押し出し又は共押し出しによって繊維の少なくとも一つを製造することを特徴とする、請求項１ないし３のいずれか１項に記載の装置。
【請求項５】
繊維を被覆によって製造することを特徴とする、請求項１ないし３のいずれか１項に記載の装置。
【請求項６】
粒子（１２）の少なくとも一部を以下から選択する材料によって形成することを特徴とする、先の請求項１ないし５のいずれかに記載の装置：柔らかい磁性材料；固い磁性材料；フェライト、特に亜鉛、ニッケル、又はマンガンをベースとするもの；希土類；硫酸バリウム；ケイ素鉄合金；モリブデンを充填してもよいコバルト鉄；又はこれらの材料の混合物。
【請求項７】
装置が被覆した磁性粒子を含むことを特徴とする、先の請求項１ないし６のいずれかに記載の装置。
【請求項８】
磁性物質を非−磁性媒体に沈積させて製造した磁性粒子を装置が含むことを特徴とする、請求項１ないし５のいずれか１項に記載の装置。
【請求項９】
繊維の少なくとも一つが０．２質量％〜３０質量％の磁化したか又は磁化可能な粒子を含むことを特徴とする、先の請求項１ないし８のいずれかに記載の装置。
【請求項１０】
繊維の少なくとも一つを以下から選択するプラスチック材料（１１）を使用して製造することを特徴とする、先の請求項１ないし９のいずれかに記載の装置：ポリアミド；ＰＥＴ；アセテート；ＰＥ；ＰＰ；ＰＶＣ；アミドブロックポリエステル；可塑化Rilsan（登録商標）；エラストマー、特にポリエステルエラストマー；ＰＥエラストマー；シリコーンエラストマー；ニトリルエラストマー；又はこれらの材料の混合物。
【請求項１１】
繊維の少なくとも一つに対して磁性粒子（１２）が該繊維の少なくとも表面に存在することを特徴とする、先の請求項１ないし１０のいずれかに記載の装置。
【請求項１２】
繊維の少なくとも一つに対して磁性粒子（１２）が該繊維の表面にのみ存在することを特徴とする、先の請求項１ないし１１のいずれかに記載の装置。
【請求項１３】
繊維の少なくとも一つに対して磁性粒子（１２）が該繊維の内部のみに存在することを特徴とする、先の請求項１ないし１２のいずれかに記載の装置。
【請求項１４】
繊維の少なくとも一つに対して磁性粒子（１２）がプラスチック材料（１１）の全体に分散していることを特徴とする、請求項１０に記載の装置。
【請求項１５】
繊維の少なくとも一つの断面が以下から選択する形を示すことを特徴とする、先の請求項１ないし１４のいずれかに記載の装置：回転対称又は非対称である形；円形；中実又は中空の四角形；任意に溝を有するディスク形；中実又は中空の三角形；中実又は中空の星形；Ｕ；Ｖ；Ｉ；Ｔ；Ｚ；−；＋；又は三つの枝を有するインゲン豆形；中空；又はこれらの形の組み合わせ、任意に捻った繊維。
【請求項１６】
繊維の少なくとも一つが磁化されていることを特徴とする、先の請求項１ないし１５のいずれかに記載の装置。
【請求項１７】
装置が絞り装置（１０６；１２５）を含むことを特徴とする、先の請求項１ないし１６のいずれかに記載の装置。
【請求項１８】
絞り装置（１４５）が磁性を示すことを特徴とする、先の請求項１ないし１７に記載の装置。
【請求項１９】
繊維の少なくとも一つが製品を負荷させるのに適したアプリケーター（１０２；１１２；１２２；１４０；１６０；１７０；１８０；１９０；２００；２１０；２２０；２３４；２４２）の一部をなすことを特徴とする、先の請求項１ないし１８のいずれかに記載の装置。
【請求項２０】
装置がさらに容器（１０１；１１１；１２１）を含むことを特徴とする、請求項１９に記載の装置。
【請求項２１】
アプリケーターの繊維に引きつけられるのに適した粒子を含む組成物を容器が含むことを特徴とする、請求項２０に記載の装置。
【請求項２２】
アプリケーターの繊維が磁化可能であり、かつ磁化した粒子を含む組成物を容器が含み、該繊維が磁化した粒子の磁気作用に従わせるのに適していることを特徴とする、請求項２０に記載の装置。
【請求項２３】
アプリケーターがマスカラブラシであり、ブラシの毛の少なくとも一つが該繊維で構成されていることを特徴とする、請求項１９ないし２２のいずれか１項に記載の装置。
【請求項２４】
ブラシの毛が捻ったコアに保持されており、かつコアが磁化されていることを特徴とする、請求項２３に記載の装置。
【請求項２５】
アプリケーターがペイントブラシで構成されており、かつブラシの毛の少なくとも一つが該繊維で形成されていることを特徴とする、請求項１９ないし２２のいずれか１項に記載の装置。
【請求項２６】
毛の少なくとも一つが該繊維の一つで構成されているフロッキングの被覆を装置が含むことを特徴とする、請求項１９ないし２２のいずれか１項に記載の装置。
【請求項２７】
フロッキングの被覆が以下の要素の少なくとも一部を被覆することを特徴とする、請求項２６に記載の装置：くしの歯（２３１）；ブラシの毛；絞り装置；フォーム；スポンジ；任意に穴を明けたフィルム；末端部；織布又は不織布。
【請求項２８】
繊維の少なくとも一つを使用して製造した織布又は不織布又はフェルトを装置が含むことを特徴とする、請求項１ないし２２のいずれか１項に記載の装置。
【請求項２９】
媒体に固定した磁石の磁場（２２２；２３７）に繊維を置くことを特徴とする、先の請求項１ないし２８のいずれかに記載の装置。
【請求項３０】
少なくとも一部を繊維で構成したフィラーを含む組成物を装置が含むことを特徴とする、先の請求項１ないし２９のいずれかに記載の装置。
【請求項３１】
繊維の少なくとも一つの直径が０．５μm〜５００μmの範囲にあることを特徴とする、先の請求項１ないし３０のいずれかに記載の装置。
【請求項３２】
繊維の少なくとも一つの長さが０．５mm〜５０mmの範囲にあることを特徴とする、先の請求項１ないし３１のいずれかに記載の装置。
【請求項３３】
繊維の少なくとも一つが合成材料及び磁性粒子に加えて、液体の溶液中で液体又は化合物を吸収可能である粒子又は液体に溶解可能である粒子を含むことを特徴とする、先の請求項１ないし３２のいずれかに記載の装置。
【請求項３４】
膨潤又は溶解前の粒子の初期粒径が０．１μm〜３００μmの範囲にあり、かつ少なくとも一つの繊維がその全乾燥重量に対して０〜２０質量％の粒子を含むことを特徴とする、請求項３３に記載の装置。
【請求項３５】
液体が水、油、アルコールであることを特徴とする、請求項３３又は３４に記載の装置。
【請求項３６】
繊維の少なくとも一つが以下から選択する一又は複数の材料の粒子を含むことを特徴とする、請求項３３ないし３５のいずれか１項に記載の装置：水又は油中で膨潤するポリマー；水中で高い膨潤率を有する超−吸収性架橋ポリアクリレート、ポリビニルアルコール；カルボキシビニルポリマー；セルロースの半合成誘導体；デンプン；バイオ−ゴム；バイオサッカリド；スクレロ−グルカン；カゼイン；フィトコロイド、例えばアルギネート；ゼラチン；綿繊維；ゲラン（gelanes）；キサンタン；ラポナイト（laponite）；シリカ、特にコロイド状シリカ；又はこれらの混合物。
【請求項３７】
特に繊維に所望の方向の磁性を与える目的で繊維を磁場に曝す工程を方法が含むことを特徴とする、先の請求項のいずれか１項に記載の包装及び／又はアプリケーター装置を製造する方法。
【請求項３８】
磁性を示す繊維を含む製品を含むことを特徴とする、化粧品又はケア製品の包装又は適用装置。
【請求項３９】
製品がマスカラであることを特徴とする、請求項３８に記載の装置。
【請求項４０】
繊維が少なくとも一つの磁化したか又は磁化可能な粒子（１２）を含む、請求項３８又は３９に記載の装置。
【発明の詳細な説明】
【技術分野】
【０００１】
本発明は、物質の適用、特に化粧品又はケア製品を皮膚、毛髪又は爪に適用することに関する。
【背景技術】
【０００２】
化粧品は、処置する表面をケアするための一又は複数の活性剤を次第に取り込むようになっている。例えば、これらの剤は水和剤又はしわ取り剤であることができる。特に、これらの有効性を強化するためにこれらの剤の浸透を促進する必要がある。特許出願ＤＥ４ ３２５ ０７１は、磁気粒子を使用して微小循環を促進することを提案している。この出願では、磁気粒子をクリーム、ローション又はジェル中に分散させ、又は包帯上に付着させている。
【発明の開示】
【発明が解決しようとする課題】
【０００３】
さらに、一般に、容器に含まれる製品の取り出しを容易にして処置すべき表面への製品の適用を改良し、かつ適切な場合には新たなメーキャップ効果を生じることへの要望が存在する。
【課題を解決するための手段】
【０００４】
本発明は、特に上記の特定の要望を完全に又は部分的に満足させることを目的としている。
本発明はこのことを、化粧品又はケア製品の包装及び／又はアプリケーター装置によって達成しており、該装置は、少なくとも一つの磁化したか又は磁化可能な物体を含む繊維を含むことを特徴としている。
【発明を実施するための最良の形態】
【０００５】
本発明の意味において、“繊維”という用語は一般に伸長した物体全てを含み、例えばマスカラブラシの毛を構成する物体、フロッキングの被覆における毛、ペイントブラシの毛、特にマニキュア液を適用するためのブラシ又はパウダーを適用するためのブラシの毛、さらにはまつげに適用する製品に含まれるフィラー例えばまつげを長くする目的で含まれるフィラーを構成する物体を含む。これらの繊維は相対的に柔軟で、かつ弾性があり変形可能で、かつ合成材料から製造することができる。
本発明に従う繊維の磁性を種々の方法で使用することができる。
特に、予め定めたか又は変化する方向の磁場を適用の時に繊維によって発生させることができ、これによって活性剤の微小循環及び浸透を促進する。
繊維間で磁気の相互作用を使用することにより及び／又は外部磁場に対する繊維の応答を使用することにより、繊維に製品を充填する場合、任意に絞る場合又は適用する場合に、特定の方法で繊維を方向付けることも可能であり、これによって例えばアプリケーターへの製品の量が増加し、適用が容易になる。
【０００６】
繊維に磁性を与えるために使用した磁性物体に依存して、適切な場合には殺生物作用を利用してそれと接触した化粧品又はケア製品の保存を容易に促進することができる。
繊維の少なくとも一つは実質的に一定な断面を示すことができ、例えば一又は複数の熱可塑性及び／又はエラストマー材料の押出又は共押出によって製造することができる。使用したプラスチック材料は磁性粒子のフィラーを含むことができる。二つの合成材料のうち例えば一つが磁性粒子で充填された二つの材料を共押出して繊維を製造することができる。繊維は被覆した繊維であってもよく、一又は複数の磁性物体を少なくとも一つの非−磁性材料で被覆することにより、又は非−磁性材料、例えば木材、レーヨン、ナイロン、木綿又はポリエチレンの繊維を磁性粒子で被覆することにより製造することができ、これらの粒子は任意に樹脂で封入されていてもよい。
使用する磁性粒子の少なくとも一部を以下に挙げるものから選択した材料から製造することができるがこれに限定されない：軟質磁性材料；硬質磁性材料；フェライト、特に亜鉛、ニッケル、又はマンガンをベースとするもの；希土類；硫酸バリウム；ケイ素鉄合金；モリブデンを充填してもよいコバルト鉄；又はこれらの材料の混合物。磁性粒子は樹脂、例えばシアノアクリレートで被覆されていてもよく、又は磁性体を非−磁性媒体、例えばガラスミクロビーズ又は木材繊維に沈着させて製造することができる。
【０００７】
これらの繊維の少なくとも一つは、磁化したか又は磁化可能な粒子の性質及び所望の磁性に依存して、０．２質量％〜３０質量％の該粒子を含むことができる。
これらの繊維の少なくとも一つを以下から選択した粒子材料から製造することができる：ポリアミド；ポリエチレンテレフタレート（ＰＥＴ）；アセテート；ポリエチレン（ＰＥ）；ポリプロピレン（ＰＰ）；ポリ塩化ビニル（ＰＶＣ）；アミドブロックポリエステル；可塑化したRilsan（登録商標）；エラストマー、特にポリエステルエラストマー；ＰＥエラストマー；シリコーンエラストマー；ニトリルエラストマー；又はこれらの材料の混合物。
任意に、選択したプラスチック材料は、化粧品又はケア製品と接触した場合、例えば化粧品又はケア製品に含まれる水と接触した場合、膨潤及び／又は軟化する性質を示すことができる。
例えば、磁性粒子は少なくとも繊維の表面に、繊維の表面のみに、繊維の内部のみに存在することができ、又はプラスチック材料の全体にわたって均一に分散させることができる。
【０００８】
繊維は広範囲な断面を示すことができ、例えば繊維の断面は以下から選択した形であることができる：回転対称又は非対称である形；中実又は中空の四角形；任意に溝を有するディスク形；中実又は中空の三角形；Ｕ；Ｖ；Ｉ；Ｔ；Ｚ；−；＋；又は三つの枝を有するインゲン豆形；中空；又はこれらの形の組み合わせ。繊維を捻ってもよい。
繊維は磁化可能であること、すなわち、磁化されることなく磁場の働きに反応できるものであることができ；変形例では、繊維を磁化、すなわち永久磁場を生じさせることができる。
本発明を多数の包装及び／又はアプリケーター装置に適用することができる。磁性を示す繊維はアプリケーター及び／又は包装装置の一部をなすことができ、及び／又は製品中に含まれてもよい。
特定の態様では、装置は磁化した繊維を有するアプリケーター及び、アプリケーターの繊維によって生じた磁場に引き寄せられるのに適した粒子を含む組成物自体を含む容器を含む。他の特定の態様では、磁化した粒子の磁気作用に従うのに適している磁化可能な繊維を有するアプリケーター及び磁化した粒子を含む組成物自体を含む容器を、該装置は含む。この二つの場合、繊維と製品の間の磁気的相互作用が、アプリケーターに製品をよりよく充填するのに貢献することができる。
【０００９】
本発明を、アプリケーターを絞る絞り装置を含むアプリケーターにも適用する。例えば、アプリケーターを引くときに磁化可能な繊維を有するアプリケーターを磁化するために及び／又は絞りの改良のために、絞り装置は磁性を示してもよい。
アプリケーターはマスカラブラシであることができ、ブラシの毛の少なくとも一つを該繊維の一つで構成することができる。ブラシの毛を、磁化していてもしていなくてもよいコアに保持させることができる。
アプリケーターをペイントブラシで構成してもよく、ブラシの毛の少なくとも一つを該繊維で構成することができる。
装置は、該繊維の一つで構成した少なくとも一つの毛を有するフロッキングの表面被覆材料を含むことができる。フロッキングの表面材料は、任意に変形可能でありかつ任意に多孔性である媒体の少なくとも一部を被覆することができる。フロッキングの表面材料は、以下に挙げる要素の少なくとも一部を被覆することができる：くしの歯；ブラシの毛；絞り装置；フォーム；スポンジ；穴を明けたか明けていないフィルム；固い化又は柔軟な末端部、特にエラストマー、織布の又は不織布の末端部。
装置は、少なくとも一つの該繊維と共に織布、不織布又はフェルトを含むことができる。
【００１０】
上記したように、繊維をいかなる型の媒体に固定することもでき、該媒体を磁化して繊維に磁場をかけて、例えば繊維に特定の配置を取らせ又は繊維を磁化させることができる。媒体に固定した磁石の磁場を繊維にかけることができる。
装置は、少なくとも一部を該繊維で構成したフィラーを含む組成物も含むことができる。
一般に、繊維の少なくとも一つは横方向の最大の大きさが例えば０．５μm〜５００μm、さらには５０μm〜５００μmの範囲内であることができる。繊維の大きさをその意図する用途の機能に従って選択すべきである。
さらに一般に、繊維の少なくとも一つは長さが０．５mm〜５０mmの範囲にある。長さを繊維が意図する用途の機能に従って選択すべきである。
特定の態様では、繊維の少なくとも一つは合成材料と磁性粒子だけでなく液体の溶液中で該液体又は成分を吸収できる粒子又は液体中に溶解可能な粒子も含む。液体は、例えば水、油、アルコール、又は一般にいずれの型の溶媒であってもよい。
【００１１】
繊維は、以下に挙げたものから選択した一又は複数の材料の粒子を含むことができる：水又は油中で膨潤するポリマー；水中で高い膨潤率を有する超−吸収性架橋ポリアクリレート、ポリビニルアルコール；カルボキシビニルポリマー；セルロースの半合成誘導体；デンプン；バイオ−ゴム；バイオサッカリド；スクレロ−グルカン；カゼイン；フィトコロイド、例えばアルギネート；ゼラチン；綿繊維；ゲラン（gelanes）；キサンタン；ラポナイト（laponite）；シリカ、特にコロイド状シリカ；又はこれらの混合物。
繊維は固定しても移動性でもよい。
本発明は、上記の繊維を含む包装及び／又はアプリケーターを製造する方法であって、該方法が、例えば繊維に所望の方向の磁性を与えるために、該繊維を磁場に曝す工程を含むことを特徴とする方法も提供する。
本発明は多孔性磁性繊維も提供する。
本発明は粗い磁性繊維も提供する。
本発明の他の特徴及び利点は、以下の態様の詳細な説明（これに限定されない）を読み、かつ添付の図面（説明の一部をなす）を検討することによって、明らかとなろう。
【００１２】
種々の図面において、図面を明確にするために、種々のエレメントの相対的比率は必ずしも適合していない。
図１は、本発明の包装及び／又はアプリケーター装置で使用することができる繊維の横断面である。
この例で、磁性を示す粒子１２のフィラーを含む熱可塑性材料１１を押し出して繊維を製造する。磁性粒子１２を、磁性物質の細分化又は非−磁性体Ｃ、例えば図３２に示すミクロビーズ又は木材繊維への磁性物質Ｍの沈積により製造することができる。磁性粒子は、非−磁性外部被覆Ｒ、例えば図３１に示す樹脂の層、及び特にシアノアクリレートの層を有する磁性コアＭも含むことができる。
示した例では、繊維は中実で断面が円形であるが、以下に説明するように他の断面を有することもできる。
例えば、押出機２０と押出機から出た繊維を浸漬する冷却液体の槽２１を含む図１０に示した装置を使用して繊維を製造する。
【００１３】
本発明は、プラスチック材料１１中に実質的に均一に分散した磁性粒子１２を含む繊維に限定されることはなく、図２に示すように、例えば被覆のような適切な何らかの方法によって繊維の表面のみに磁性粒子を沈積することが可能であり、又は図３に示すように磁性粒子を繊維の内部に限定することも可能である。図４に示すように、中央のコア１４で磁性粒子を置き換えることも可能である。非−磁性繊維を磁性粒子で被覆し、次いで被覆した繊維を樹脂中に封入することによって、繊維を製造することもできる。
繊維中の磁性粒子の質量による含量は、例えば０．２質量％〜３０質量％の範囲であることができる。
使用した磁性材料は、例えば上記したのものの一つであることができる。
繊維は磁性を示す物質に加えてフィラーを含むことができ、特に、液体と接触した場合に、特に適用すべき化粧品又はケア製品と接触した場合に、吸収し及び／又は膨潤するフィラー粒子を含むことができる。特に繊維は水吸収性及び／又は水膨潤性の粒子を含むことができる。液体吸収性の化合物として、例えば、以下を挙げることができる：水中又は油中で膨潤するポリマー、水中での膨潤係数が大きな超−吸収性の架橋したポリアクリレート、ポリビニルアルコール、カルボキシビニルポリマー、セルロースの半−合成誘導体、デンプン、バイオゴム、バイオ多糖類、スクレログルカン、カゼイン、アルギネートのようなフィトコロイド、ゼラチン、綿繊維、ゲラン、キサンタン、ラポナイト、シリカ、特にコロイド状シリカ、又はこれらの混合物、ただしこれらに制限されない。
【００１４】
図５Ａは、繊維が液体、例えば水と接触する前に水中で膨潤する化合物であるフィラー粒子３０を含む繊維を示し、一方図５Ｂは液体と接触させた後の同じ繊維を示す。
粒子３０が膨潤して繊維の表面に突起を生じ、該突起は繊維が多量の製品を乗せるのに有用であるか又は該繊維を例えばマスカラブラシの毛として使用した場合に繊維がまつげを十分に補足するのに有用である。
粒子３０は、一又は複数の物質、例えば保存剤又は化粧品として若しくは皮膚科学的に活性な剤を繊維中に吸収させるためにも有用である。
特に、押出機を出た繊維を冷却するのに使用する槽２１中に、該槽の液体に溶解する一又は複数の化合物、例えば保存剤を導入することができ、繊維を槽２１に浸漬した場合に粒子３０がこれらの化合物を吸収する。従って、槽２１を出る繊維は、繊維中の粒子３０に吸収された化合物で充填されている。次いでこれらの化合物が化粧品又はケア製品と接触して次第に放出されて、例えばそれらの製品の保存性を改良する。槽２１を出るときに繊維を脱水してもよい。
【００１５】
磁性を示す物質に加えて、押出機を出た繊維を冷却するのに使用する槽２１中の液体、例えば水に可溶性である粒子４０を、繊維は含むこともできる。これらの粒子４０を、使用した液体に可溶性である塩又は糖で構成することができ、又はこれらは液体が水の場合はゼラチンであることができる。 図６Ａは溶解する前、すなわち押出機２０を出た直後の、このような粒子４０を含む繊維を示し、図６Ｂは槽２１を通過した後の同一の繊維を示す。繊維の表面に存在する溶解性の粒子４０が槽２１中の液体により溶解し、これによって繊維の表面が粗くなり、繊維を多孔性にすることが可能であることが理解できる。このように粗く又は多孔性であることにより、例えば繊維上に負荷させることが可能な物質の量を増加させることができる。得られる粗さ又は多孔度は、粒子４０の最初の大きさに依存する。槽２１を出るとき粒子４０の一部のみが溶解し、繊維の表面に存在する化粧品又はケア製品と接触して溶解を継続することも可能である。粒子４０を、化粧品又は皮膚科学的作用を有する一又は複数の物質で構成してもよい。この場合、包装した製品と接触して溶解する粒子４０は、処置した表面に放出されるこれらの化粧品又は皮膚科学的物質を伴うことができる。適切な場合は、表面に存在する粒子４０の除去を起こさせ又は除去を容易にするために繊維に衝撃を与えることができる。
【００１６】
粒子４０を、槽２１の水に不溶性であるが、繊維と接触して存在する化粧品又はケア製品中に次第に溶解する材料から製造することもできる。
磁性体に加えて、液体と接触してゲル化して、図７に示すように繊維の表面にゲル層５１を形成する粒子５０を繊維に導入することも可能である。このようなゲル層５１は、例えば化粧品又はケア製品と接触する繊維の親和性を変化させることができる。処置した表面、例えばまつげにゲルを沈積させてその強度、外観、又は接触するアプリケーターの滑りを改良することもできる。
液体、特に水を吸収することができる粒子を使用することによって、粒子が吸収した液体が適宜に次第に放出され、これによって組成物に含まれた溶媒の蒸発が補償されるときは、繊維の表面上の化粧品又はケア製品の乾燥を遅延させるという利点も示すことができる。
粒子３０、４０又は５０を使用することによって、例えば使用した粒子と化粧品又はケア製品に含まれている親水性又は親油性化合物との間の親和性により、これらの製品を保持するために繊維の表面に特別な領域を形成することも可能である。製品は任意に油／水乳剤の形態にあることができ、かつ繊維は油又は水の一方のみを吸収することができ、さらにより一般的には、選択的方法で製品の成分の一つを吸収する。
【００１７】
磁性以外の性質を示す粒子３０、４０又は５０は、必要であれば、図８に示すように繊維の表面にのみ存在することができる。
粒子３０、４０又は５０の初期粒径は、例えば０．１μm〜３００μm、又は５μm〜２００μm、さらには１０μm〜１５０μmの範囲である。例えば、粒子３０、４０又は５０は、繊維の乾燥質量の０〜２０％、さらには０〜６％の範囲を構成することができる。
図９Ａから９Ｒを参照して以下に述べるように、繊維は中実の円形以外の非常に幅広い断面を有することができる。
繊維を押し出して、図９Ａに示すような凹凸のない断面とし、図９Ｂに示すような交差型の断面とし、図９Ｃに示すように三稜の星形の断面とすることができる。繊維の断面は、図９Ｄに示すように中空であることができ、図９Ｅに示すように中実ではあるが細い溝を含むことができる。繊維はまた、図９Ｆに示すようにＵ−字型の断面、図９Ｈに示すようにＩ−字型の断面、図９Ｉに示すようにＣ−字型の断面、図９Ｊに示すようにＶ−字型の断面、図９Ｋに示すようにＺ−字型の断面、及びこれらの形の組み合わせ、例えば図９Ｇに示すように図９Ｂと９Ｃの組み合わせの断面を有することができる。図９Ｌは中空の四角の断面を示し、図９Ｍは中実の四角の断面を有する繊維示し、図９Ｎは中空の星形の断面を有する繊維示し、図９Ｐは中空の三角形の断面を有する繊維を示し、図９Ｑは周囲に溝を形成する断面を有する繊維を示し、かつ図９Ｒはソラマメ型の断面を有する繊維を示す。
【００１８】
図１１に示すように、磁化装置６０で槽２１を出る繊維を磁化するために繊維に磁場をかけることが可能であり、これによって所定の極性で磁化することができる。
必要であれば、繊維を包装及び／又はアプリケーター装置に取り込んだ後で、これらの装置又はこれらの装置のバッチに磁場をかけることによって、繊維を磁化することもできる。包装及び／又はアプリケーター装置に繊維を既に取り付けた後で繊維だけを磁化することにより、繊維が凝集する危険性を容易に抑えることができる。
以下に述べるように、繊維を種々のアプリケーター及び包装装置で使用することができる。
図１２は、適用する製品Ｐ、例えばマスカラを含む容器１０１及びアプリケーター１０２を含む包装及びアプリケーター装置１００を示す。容器１０１には絞り装置１０６が付いており、これは変形例では示されていないが、これをフロッキングすることができる。アプリケーター１０２は、ハンドル体１０４の末端に取り付けた軸１０３を有しており、これも容器１０１を封鎖するキャップを構成しており、かつ軸の反対の末端にブラシを有する。ブラシは、捻った針金で構成されるコアを含み、針金の曲がりに毛が保持され、該毛は磁性を示す繊維、例えば上記の繊維により構成されている。
【００１９】
ブラシの磁極を、例えば軸１０３の軸に沿って又は軸１０３の軸に垂直に方向付けることができる。捻ったコアを、非−磁性材料、例えば非−磁性ステンレス鋼で製造することができ、又は変形例では磁性を有する材料で製造することができる。従って、コアは毛と磁気的に相互作用することができる。ブラシ１０５の毛を磁化して、使用された毛相互間の磁気作用によってブラシの毛の磁性を隣接の毛に作用させ、例えば毛を所望の方向に向けることができる。ブラシの磁極の方向によって、毛の方向付けに対する作用は異なる。例えば、図２８Ａ及び２８Ｂは、横断する磁場の存在によってブラシの毛が曲げられている効果を示している。
製品をまつげに適用する場合に、まつげ又は顔の他の部分、例えば瞼に有益に作用する磁場をかけるためだけの目的で、毛の磁性を利用することができる。
ブラシの毛でかけられる磁場は時間と共に変化する傾向にあり、特にブラシの形が変形している場合、例えばアプリケーターを引き抜く場合又は適用時にその傾向がある。
製品Ｐは磁性を示すことができ、例えば磁化可能な粒子又は磁化した粒子を含むことができる。
【００２０】
製品Ｐが磁性を示す場合、ブラシが磁性も示す毛を有していることによりブラシへの製品の負荷を促進することができ、例えばブラシの毛に製品が引きつけられることによって促進することができる。製品は磁性を有する繊維又は小箔片も含むことができ、アプリケーターは磁気の作用で例えば適用時に特定の方向へ小箔片を向けることができ、例えばアプリケーターを滑りやすくさせることができる。
図１３はマニキュア液を包装し及び適用する装置１１０を示し、該装置は容器１１１とアプリケーター１１２を含み、該アプリケーターは容器を密閉するキャップを構成するハンドル体１１４を一端に、近接して一緒にした毛の束を含むペイントブラシ１１５を他端に設けた軸１１３を含む。毛は磁性を示す繊維から製造したものであり、この磁性を利用してブラシ１１５の毛を所定の方向に向けさせて、ブラシ１１５に製品が負荷されるのを容易にし、又は処置表面に作用を及ぼすことができる。ブラシの磁場の極性に依存するブラシの毛の間の磁気的な相互作用により、毛をひとまとまりにするか又はそれと反対に毛を離して広げることができる。例えば、図２９Ａ及び２９Ｂは、毛の間の磁気的な相互作用によって毛が離れて広がる効果を非常に模式的に示している。
【００２１】
製品Ｐは任意に磁性を示すことができる。
図１４は、製品Ｐ、例えば液状口紅、とアプリケーター１２２を含む容器１２１を含む包装及びアプリケーター装置１２０を示し、該アプリケーターは、容器１２１を密閉しかつハンドルとしても利用できるキャップ１２４を一端に取り付け、磁性を示す繊維を使用して製造したフロッキングで被覆したアプリケーター末端部１２４を他端に取り付けた軸１２３を含む。装置１２０はフォーム１２５のブロックで構成した絞り装置も含む。本フォームのブロックは任意に磁性を示すことができる。特に、磁化した粒子をフォームに取り込むことによってフォーム１２５に一定の方向の磁性を与えることができる。絞り装置の磁性を利用して、例えばアプリケーター１２２を引き抜くときに、末端部１２４上のフロッキングを磁化することができる。
図１５は、製品Ｐ、特に液状口紅のための包装及びアプリケーター装置であって、磁性を示す繊維を使用して製造したフロッキング１３２で被覆した末端部１３１を含む装置を示す。
図１６は、磁性を示す繊維を使用して製造したブラシの毛を有する、パウダーを適用するためのブラシ１４０を示す。
【００２２】
図１７は、磁性を示す繊維で構成したフロッキング１５２で表面を被覆したフォーム１５１を含むアプリケーター１５０を示す。このアプリケーターを、例えば皮膚用のブラシに利用することができる。
図１８Ａは、フロッキング加工したエラストマーの末端部１６１を含む液状口紅のアプリケーター１６０を示し、図１８Ｂは、同様にフロッキング加工したエラストマーの末端部１６１’を含むアイライナー１６０’を示す。いずれの場合も、フロッキング加工した毛は磁性を示す繊維で構成される。
繊維を、図１９に示すようなパウダーパフ１７０又は図２０に示すようなメーキャップ落としスポンジ１８０をフロッキング加工するのに使用することもできる。
図２１に示すアプリケーター１９０の場合のように、フォーム１９２のブロックに固定したフィルム１９１上にフロッキングの被覆を広げることもできる。
図２２に示すように、磁性を示す繊維を取り込んだ織布又は不織布の少なくとも一つの層２０１を含むディスク２００又は絞り装置に該繊維を使用することも可能である。
【００２３】
図２３は、製品をまつげに適用し、かつフロック加工した歯２１１を含むくし２１０を示す。フロック加工した毛を、磁性を有する繊維を使用して製造する。
アプリケーターは、磁性を有する繊維に加えて一又は複数の一体成型した磁石を含むことができる。
例えば、図２４は、磁石２２２が固定されているハンドル２２１を含むアプリケーター２２０を示す。磁石はフォーム２２３のブロックで被覆され、該フォームの外側は磁性を示す繊維で構成されたフロッキング２２４で被覆されている。
磁石２２２の存在により、フロッキング加工した毛２９４に磁場をかけることが可能となる。
特に、下の支持体に対して実質的に垂直に立つフロッキング加工した毛を、図２７に示すように磁場の磁力線Ｍに沿った方向に向かせることができる。毛はアプリケーター要素の表面上に立つか又は磁石２２２に対する位置に応じて他の方向に向かう傾向があり、これによって、例えばより多くの製品をアプリケーターに負荷して適用を快くすることが可能となる。さらに、製品がアプリケーターに接触するパウダーであり、かつ該アプリケーターが磁性を有する場合、パウダー粒子がアプリケーターに沈積し、特にその繊維に沈積する傾向があり、これによってくしゃみにつながるパウダーの飛散の危険性が減少する。
【００２４】
図２５は、上部にポンプ２３２を設けた柔軟なバッグ２３１中に製品を含んだ装置２３０を示す。アプリケーターは、表面をフロッキング２３５で被覆し、かつキャップ２３６で保護されたフォーム２３４を含む。フォーム２３４が支持する磁石２３７がキャップ２３６に付随している。フロック加工した毛２３５は、前記の態様と同様に、磁性を示し、かつ磁石２３７の磁場に置かれている。
図３０は、使用していない場合にはキャップ２８１に支持されているフロック加工した末端部２８２を含むアプリケーター２８０の一部を示す。水を吸収し又は水中で膨潤する粒子を含む繊維を使用することによって、末端部の乾燥が遅延するようにキャップ内の湿度条件を維持することが可能であり、該末端部を他のアプリケーター要素、例えばブラシで置き換えることが可能である。
【００２５】
当然のことながら、本発明は上記の態様に限定されない。
特に、図２６に示すように、アプリケーターと容器に含まれる製品の間にスクリーン２４０を設けることが可能である。このような場合、製品Ｐは磁性粒子２４１を含むことができ、かつアプリケーターは磁性を示すことができ、例えばこれはフロッキングの被覆が磁化した繊維から構成されているフロック加工した末端部でアプリケーターが構成されているからである。末端部２４０は、製品中に含まれる磁性粒子２４１を引きつけることが可能である。スクリーン２４０の網目の大きさを選択することにより、末端部２４２によって引きつけられる磁性粒子２４１がスクリーン２４０を通過しないが、製品Ｐが末端部２４２の方向へ移動するのを促進することが可能であり、これによって末端部２４２が製品を負荷するのを改良する。変形例では、製品Ｐ自体が磁性を有していてもよく、例えば被覆した磁性粒子を含み、かつスクリーン２４０の網目を通過可能であってもよい。
繊維の長さの部分のみを磁化することが可能である。
上記の包装及びアプリケーター装置は、磁性のない繊維と混合した磁性のある繊維を含むことができ、液体を吸収し及び／又は液体と接触して膨潤するのに適した、又は例えば水であってもよい液体と接触して溶解可能な化合物の粒子を充填した繊維を含むことができる。
【図面の簡単な説明】
【００２６】
【図１】図１は、磁性を示す繊維の一例の模式的な断面図である。
【図２】図２は、図１に類似した異なる態様の繊維の断面図である。
【図３】図３は、図１に類似した異なる態様の繊維の断面図である。
【図４】図４は、図１に類似した異なる態様の繊維の断面図である。
【図５Ａ】図５Ａは、磁性体だけでなく液体の存在下で膨潤可能な粒子も取り込んだ繊維を示す模式的な軸断面図である。
【図５Ｂ】図５Ｂは、磁性体だけでなく液体の存在下で膨潤可能な粒子も取り込んだ繊維を示す模式的な軸断面図である。
【図６Ａ】図６Ａは、磁性体だけでなく液体に可溶な粒子も取り込んだ繊維を示す模式的な軸断面図である。
【図６Ｂ】図６Ｂは、磁性体だけでなく液体に可溶な粒子も取り込んだ繊維を示す模式的な軸断面図である。
【図７】図７は、繊維表面におけるゲルの形成を示す。
【図８】図８は、磁性粒子ではない粒子が繊維の表面のみに存在する態様を示す。
【図９Ａ】図９Ａは、繊維の可能な断面を示す模式的な断面図である。
【図９Ｂ】図９Ｂは、繊維の可能な断面を示す模式的な断面図である。
【図９Ｃ】図９Ｃは、繊維の可能な断面を示す模式的な断面図である。
【図９Ｄ】図９Ｄは、繊維の可能な断面を示す模式的な断面図である。
【図９Ｅ】図９Ｅは、繊維の可能な断面を示す模式的な断面図である。
【図９Ｆ】図９Ｆは、繊維の可能な断面を示す模式的な断面図である。
【図９Ｇ】図９Ｇは、繊維の可能な断面を示す模式的な断面図である。
【図９Ｈ】図９Ｈは、繊維の可能な断面を示す模式的な断面図である。
【図９Ｉ】図９Ｉは、繊維の可能な断面を示す模式的な断面図である。
【図９Ｊ】図９Ｊは、繊維の可能な断面を示す模式的な断面図である。
【図９Ｋ】図９Ｋは、繊維の可能な断面を示す模式的な断面図である。
【図９Ｌ】図９Ｌは、繊維の可能な断面を示す模式的な断面図である。
【図９Ｍ】図９Ｍは、繊維の可能な断面を示す模式的な断面図である。
【図９Ｎ】図９Ｎは、繊維の可能な断面を示す模式的な断面図である。
【図９Ｐ】図９Ｐは、繊維の可能な断面を示す模式的な断面図である。
【図９Ｑ】図９Ｑは、繊維の可能な断面を示す模式的な断面図である。
【図９Ｒ】図９Ｒは、繊維の可能な断面を示す模式的な断面図である。
【図１０】図１０は、押し出し成形で製造した繊維を示す。
【図１１】図１１は、押し出しの後で磁化した繊維を示す。
【図１２】図１２は、包装及び／又はアプリケーターの例を示す。
【図１３】図１３は、包装及び／又はアプリケーターの例を示す。
【図１４】図１４は、包装及び／又はアプリケーターの例を示す。
【図１５】図１５は、包装及び／又はアプリケーターの例を示す。
【図１６】図１６は、包装及び／又はアプリケーターの例を示す。
【図１７】図１７は、包装及び／又はアプリケーターの例を示す。
【図１８Ａ】図１８Ａは、包装及び／又はアプリケーターの例を示す。
【図１８Ｂ】図１８Ｂは、包装及び／又はアプリケーターの例を示す。
【図１９】図１９は、包装及び／又はアプリケーターの例を示す。
【図２０】図２０は、包装及び／又はアプリケーターの例を示す。
【図２１】図２１は、包装及び／又はアプリケーターの例を示す。
【図２２】図２２は、包装及び／又はアプリケーターの例を示す。
【図２３】図２３は、包装及び／又はアプリケーターの例を示す。
【図２４】図２４は、包装及び／又はアプリケーターの例を示す。
【図２５】図２５は、包装及び／又はアプリケーターの例を示す。
【図２６】図２６は、包装及び／又はアプリケーターの例を示す。
【図２７】図２７は、磁石によって生じた磁界線の作用によって磁化可能な繊維が方向付けられているフロッキングの毛を示す。
【図２８Ａ】図２８Ａは、磁性の相互作用によるブラシの毛の向きの変わり方を示す。
【図２８Ｂ】図２８Ｂは、磁性の相互作用によるブラシの毛の向きの変わり方を示す。
【図２９Ａ】図２９Ａは、磁性の相互作用によるペイントブラシの毛の向きの変わり方を示す。
【図２９Ｂ】図２９Ｂは、磁性の相互作用によるペイントブラシの毛の向きの変わり方を示す。
【図３０】図３０は、使用しないときの保護キャップを付けたアプリケーターエレメントを含むアプリケーターを示す。
【図３１】図３１は、被覆した磁性粒子を示す。
【図３２】図３２は、非−磁性体上に磁性物質を沈積させて製造した磁性粒子を示す。
【図１】
2006326322.tif 000003
【図２】
2006326322.tif 000004
【図３】
2006326322.tif 000005
【図４】
2006326322.tif 000006
【図５Ａ】
2006326322.tif 000007
【図５Ｂ】
2006326322.tif 000008
【図６Ａ】
2006326322.tif 000009
【図６Ｂ】
2006326322.tif 000010
【図７】
2006326322.tif 000011
【図８】
2006326322.tif 000012
【図９Ａ】
2006326322.tif 000013
【図９Ｂ】
2006326322.tif 000014
【図９Ｃ】
2006326322.tif 000015
【図９Ｄ】
2006326322.tif 000016
【図９Ｅ】
2006326322.tif 000017
【図９Ｆ】
2006326322.tif 000018
【図９Ｇ】
2006326322.tif 000019
【図９Ｈ】
2006326322.tif 000020
【図９Ｉ】
2006326322.tif 000021
【図９Ｊ】
2006326322.tif 000022
【図９Ｋ】
2006326322.tif 000023
【図９Ｌ】
2006326322.tif 000024
【図９Ｍ】
2006326322.tif 000025
【図９Ｎ】
2006326322.tif 000026
【図９Ｐ】
2006326322.tif 000027
【図９Ｑ】
2006326322.tif 000028
【図９Ｒ】
2006326322.tif 000029
【図１０】
2006326322.tif 000030
【図１１】
2006326322.tif 000031
【図１２】
2006326322.tif 000032
【図１３】
2006326322.tif 000033
【図１４】
2006326322.tif 000034
【図１５】
2006326322.tif 000035
【図１６】
2006326322.tif 000036
【図１７】
2006326322.tif 000037
【図１８Ａ】
2006326322.tif 000038
【図１８Ｂ】
2006326322.tif 000039
【図１９】
2006326322.tif 000040
【図２０】
2006326322.tif 000041
【図２１】
2006326322.tif 000042
【図２２】
2006326322.tif 000043
【図２３】
2006326322.tif 000044
【図２４】
2006326322.tif 000045
【図２５】
2006326322.tif 000046
【図２６】
2006326322.tif 000047
【図２７】
2006326322.tif 000048
【図２８Ａ】
2006326322.tif 000049
【図２８Ｂ】
2006326322.tif 000050
【図２９Ａ】
2006326322.tif 000051
【図２９Ｂ】
2006326322.tif 000052
【図３０】
2006326322.tif 000053
【図３１】
2006326322.tif 000054
【図３２】
2006326322.tif 000055